(57)【要約】  プーリ（1）の側面に一側面を対応させて配置される治具本体（10）と、治具本体（10）の一側面の一端側にプーリ（1）の外周に沿うように突設され、且つ基端側表面にベルト（B）を保持する保持面（22）を有し、プーリ（1）のプーリ溝（2）に嵌合した状態で、ベルト（B）を、保持面（22）を経てプーリ１の側方に案内して引き出すベルト案内部（20）とを備え、保持面（22）を、ベルト（B）の内周面が治具本体（10）側を向くように治具本体（10）側の一部を頂部としてその周囲に向かって下傾すると共に、ベルト引き出し方向に沿って山形に湾曲した形状とする。
2013042299.tif 000002
【特許請求の範囲】
【請求項１】
プーリの側面に一側面を対応させて配置される治具本体と、
上記治具本体の一側面の一端側にプーリの外周に沿うように突設され、且つ基端側表面にベルトを保持する保持面を有し、上記プーリのプーリ溝に嵌合した状態で、上記ベルトを上記保持面を経てプーリの側方に案内して引き出すベルト案内部とを備え、
少なくとも２個のプーリに上記ベルトを緊張状態で巻き掛けて取り付ける際、１個のプーリを除く他のプーリに上記ベルトを掛け渡した状態で、上記ベルト案内部を上記１個のプーリのプーリ溝に嵌合させて、上記ベルトを上記保持面で保持し、当該プーリの回転動作に伴い上記ベルトと共に回転方向に移動して該ベルトをプーリ溝に嵌合させて当該プーリに取り付けるベルト取付治具であって、
上記保持面は、上記ベルトの内周面が治具本体側を向くように上記治具本体側の一部を頂部としてその周囲に向かって下傾すると共に、ベルト引き出し方向に沿って山形に湾曲している
ことを特徴とするベルト取付治具。
【請求項２】
請求項１に記載のベルト取付治具において、
上記保持面におけるベルト引き出し側端部は、当該ベルトの引き出し側に向かって下傾し、当該保持面で保持したベルトの引き出し部分での屈曲を緩和する屈曲緩和面を構成している
ことを特徴とするベルト取付治具。
【請求項３】
請求項１又は２に記載のベルト取付治具において、
上記治具本体における上記ベルト案内部突設基部のベルト引き出し側端部は、上記ベルト案内部に案内されてプーリの側方に引き出されたベルトのプーリ回転方向後方側の側面と当接し、該ベルトの側面を沿わせる側面当接部を構成している
ことを特徴とするベルト取付治具。
【請求項４】
請求項１〜３のいずれか１項に記載のベルト取付治具において、
上記治具本体は、上記ベルト案内部の突設基部にプーリの側面に沿うようにプーリ回転方向前方に突設され、上記ベルト案内部とプーリ回転軸方向に離間して当該ベルト案内部との間に隙間を有し、該隙間に案内されたベルトを、プーリの側面とにより当該ベルトの内周面をプーリ側に向けた状態の姿勢に保持する姿勢保持部を備えている
ことを特徴とするベルト取付治具。
【請求項５】
請求項４に記載のベルト取付治具において、
上記姿勢保持部は、プーリの外周縁部に沿うように円弧形状に形成されている
ことを特徴とするベルト取付治具。
【請求項６】
請求項１〜５のいずれか１項に記載のベルト取付治具において、
上記治具本体は、上記ベルト案内部とプーリ回転軸方向に離間して当該ベルト案内部との間に隙間を有し、該隙間を通したベルトを上記ベルト案内部とで挟持するベルト挟持部を備えている
ことを特徴とするベルト取付治具。
【請求項７】
請求項１〜６のいずれか１項に記載のベルト取付治具において、
上記治具本体は、ベルト引き出し側のプーリ回転軸周りに位置するように設けられ、上記ベルト案内部に案内されてプーリの側方に引き出されたベルトの一部をプーリ径方向外側に位置する面で受けるベルト受け部を備えている
ことを特徴とするベルト取付治具。
【請求項８】
請求項１〜７のいずれか１項に記載のベルト取付治具において、
上記各プーリのプーリ溝は、並列に複数設けられ、各々、開口側から底側に向かって幅が狭くなるＶ字状に形成されており、
上記ベルト案内部は、上記各プーリ溝に係合する複数の係合突条部を裏面に有し、
上記各係合突条部は、上記プーリ溝に対応するように横断面三角形状又は台形状に形成されている
ことを特徴とするベルト取付治具。
【請求項９】
請求項１〜８のいずれか１項に記載のベルト取付治具において、
治具装着先のプーリはフランジ付きプーリであり、当該プーリのフランジは基端側から先端側に向かって幅が狭くなる横断面台形状に形成され、
上記治具本体の一端側と上記ベルト案内部の基端側表面との間には、治具装着先のプーリのフランジを挟み込んで係合する係合溝が形成されている
ことを特徴とするベルト取付治具。
【発明の詳細な説明】
【技術分野】
【０００１】
本発明は、複数のプーリに対してベルトを巻き掛けて取り付けるためのベルト取付治具に関し、特に、ベルト取付治具からのベルト外れ及びベルトの損傷を防止する対策に関するものである。
【背景技術】
【０００２】
一般的に、外周面にプーリ溝を有する複数のプーリにベルトを巻き掛けてなるベルト伝動装置は、全てのプーリに掛け渡した状態のベルトに対して所定の張力を付与するオートテンショナなどの張力付与手段を備えている。【０００３】
このような張力付与手段を不要にするために、複数のプーリに取り付ける際に周方向に引き伸ばしてプーリフランジを乗り越えさせるようにしたベルトがある。そして、従来から、このベルトをプーリに取り付けるためのベルト取付治具が提案されている。【０００４】
ベルト取付治具は、例えば２個のプーリにベルトを巻き掛ける場合、一方のプーリにベルトを掛け渡した状態で、該ベルトの余剰部分が掛けられると共に他方のプーリに装着して使用されるものであり、その装着状態は、当該ベルト取付治具よりもプーリ回転方向後方に位置するベルト部分をプーリ溝に嵌合させ、且つ当該ベルト取付治具よりもプーリ回転方向前方に位置するベルト部分をプーリの外周面上から手前側側方に曲げて引き出すことにより、ベルトとプーリ溝との間に一部が挟着された状態である。なお、本明細書でいう「手前側」とは、ベルトの取付け作業を行う作業者側を意味し、「奥側」とは、上記作業者と反対側を意味する。【０００５】
そして、ベルト取付治具は、上記装着状態とされた後、治具装着側のプーリのセンターボルトをレンチなどの工具を用いて回転させ、当該ベルト取付治具をプーリ回転方向前方に進め、プーリ溝に嵌るベルトの範囲を徐々に広げることによって、最終的には治具装着側のプーリにもベルトを完全に巻き掛けるようになっている。【０００６】
このようなベルト取付治具として、例えば、特許文献１には、ベルトがプーリ溝に嵌合するまで当該ベルト取付治具をプーリに固定するための固定手段と、ベルトの一部を受けてプーリフランジの近傍且つプーリ軸方向外側に保持する保持面とを備え、該保持面が、プーリフランジの外周面と面一に設定され、プーリを回転させたときに、ベルト幅方向に曲がったベルトがその復元力によってプーリ溝に嵌合するまで、ベルトの一部を保持するように構成された治具が開示されている。
【先行技術文献】
【特許文献】
【０００７】
【特許文献１】特開２００６−３００１７２号公報
【発明の概要】
【発明が解決しようとする課題】
【０００８】
特許文献１のベルト取付治具をプーリに装着し、当該ベルト取付治具を用いてプーリにベルトを巻き掛ける際には、保持面でベルトの一部を受け、該保持面よりもプーリ回転方向前方に位置するベルト部分をプーリの外周面上から手前側側方に曲げて引き出す必要がある。【０００９】
しかしながら、当該ベルト取付治具では保持面がプーリフランジの外周面と面一に設定されているため、当該ベルト取付治具をプーリに装着する際には、保持面上でベルトを幅方向に比較的大きく曲げざるを得ない。そうすると、当該ベルトの引き出し箇所の曲げ部分において局所的に、ベルト幅方向の手前側部分が圧縮される一方、ベルト幅方向の奥側部分が引張される状態となる。この状態でプーリを回転させて治具装着先のプーリにベルトを巻き掛けていくと、ベルトの巻掛けに伴い付与された張力によって上記ベルトの引き出し箇所の曲げ部分に加わる圧縮力及び引張力が益々増大するため、ベルトが損傷するおそれがある。【００１０】
また、特許文献１の如くベルトを保持するための保持面がプーリフランジの外周面と面一に設定されていると、ベルト取付治具に掛けたベルトは、その巻掛けに伴い付与された張力によってプーリの手前側側方に強く引っ張られ、保持面上を滑ってベルト取付治具から外れるおそれさえもある。【００１１】
本発明は、斯かる点に鑑みてなされたものであり、その目的とするところは、複数のプーリにベルトを取り付ける際において、ベルト取付治具からのベルト外れと、ベルトの局所的な圧縮及び引張による損傷とを防止することにある。
【課題を解決するための手段】
【００１２】
上記の目的を達成するために、この発明では、ベルトを保持する保持面の形状を、ベルトを正曲げ状態に掛け回すことによって当該保持面に引っ掛けながらプーリの側方へスムーズに引き出し可能なように工夫した。【００１３】
具体的には、本発明は、プーリの側面に一側面を対応させて配置される治具本体と、上記治具本体の一側面の一端側にプーリの外周に沿うように突設され、且つ基端側表面にベルトを保持する保持面を有し、上記プーリのプーリ溝に嵌合した状態で、上記ベルトを上記保持面を経てプーリの側方に案内して引き出すベルト案内部とを備え、少なくとも２個のプーリに上記ベルトを緊張状態で巻き掛けて取り付ける際、１個のプーリを除く他のプーリに上記ベルトを掛け渡した状態で、上記ベルト案内部を上記１個のプーリのプーリ溝に嵌合させて、上記ベルトを上記保持面で保持し、当該プーリの回転動作に伴い上記ベルトと共に回転方向に移動して該ベルトをプーリ溝に嵌合させて当該プーリに取り付けるベルト取付治具を対象とし、以下の解決手段を講じたものである。【００１４】
すなわち、第１の発明は、上記保持面は、上記ベルトの内周面が治具本体側を向くように上記治具本体側の一部を頂部としてその周囲に向かって下傾すると共に、ベルト引き出し方向に沿って山形に湾曲していることを特徴とする。【００１５】
第２の発明は、第１の発明のベルト取付治具において、上記保持面におけるベルト引き出し側端部は、当該ベルトの引き出し側に向かって下傾し、当該保持面で保持したベルトの引き出し部分での屈曲を緩和する屈曲緩和面を構成していることを特徴とする。【００１６】
第３の発明は、第１又は第２の発明のベルト取付治具において、上記治具本体における上記ベルト案内部突設基部のベルト引き出し側端部は、上記ベルト案内部に案内されてプーリの側方に引き出されたベルトのプーリ回転方向後方側の側面と当接し、該ベルトの側面を沿わせる側面当接部を構成していることを特徴とする。【００１７】
第４の発明は、第１〜第３の発明のいずれか１つのベルト取付治具において、上記治具本体は、上記ベルト案内部の突設基部にプーリの側面に沿うようにプーリ回転方向前方に突設され、上記ベルト案内部とプーリ回転軸方向に離間して当該ベルト案内部との間に隙間を有し、該隙間に案内されたベルトを、プーリの側面とにより当該ベルトの内周面をプーリ側に向けた状態の姿勢に保持する姿勢保持部を備えていることを特徴とする。【００１８】
第５の発明は、第４の発明のベルト取付治具において、上記姿勢保持部は、プーリの外周縁部に沿うように円弧形状に形成されていることを特徴とする。【００１９】
第６の発明は、第１〜第５の発明のいずれか１つのベルト取付治具において、上記治具本体は、上記ベルト案内部とプーリ回転軸方向に離間して当該ベルト案内部との間に隙間を有し、該隙間を通したベルトを上記ベルト案内部とで挟持するベルト挟持部を備えていることを特徴とする。【００２０】
第７の発明は、第１〜第６の発明のいずれか１つのベルト取付治具において、上記治具本体は、ベルト引き出し側のプーリ回転軸周りに位置するように設けられ、上記ベルト案内部に案内されてプーリの側方に引き出されたベルトの一部をプーリ径方向外側に位置する面で受けるベルト受け部を備えていることを特徴とする。【００２１】
第８の発明は、第１〜第７の発明のいずれか１つのベルト取付治具において、上記各プーリのプーリ溝は、並列に複数設けられ、各々、開口側から底側に向かって幅が狭くなるＶ字状に形成されており、上記ベルト案内部は、上記各プーリ溝に係合する複数の係合突条部を裏面に有し、上記各係合突条部は、上記プーリ溝に対応するように横断面三角形状又は台形状に形成されていることを特徴とする。【００２２】
第９の発明は、第１〜第８の発明のいずれか１つのベルト取付治具において、治具装着先のプーリはフランジ付きプーリであり、当該プーリのフランジは基端側から先端側に向かって幅が狭くなる横断面台形状に形成され、上記治具本体の一端側と上記ベルト案内部の基端側表面との間には、治具装着先のプーリのフランジを挟み込んで係合する係合溝が形成されていることを特徴とする。
【発明の効果】
【００２３】
第１の発明によれば、ベルト取付治具のベルトを保持する保持面が、治具本体側の一部を頂部としてその周囲に向かって下傾し、且つベルト引き出し方向に沿って山形に湾曲した湾曲面を呈している。このような湾曲面を呈する保持面にベルトを保持させると、ベルトは、保持面上で内周面が治具本体側を向き、保持面の湾曲形状に倣いベルト周方向に沿って湾曲した正曲げ状態となって、プーリの手前側側方に引き出される。これにより、ベルトをプーリの手前側に引き出した状態において、ベルトに生じる幅方向の曲げを抑えることができるので、ベルトの引き出し箇所の曲げ部分に局所的な圧縮力や引張力が加わることを防止できる。【００２４】
また、上記保持面が治具本体側に向かって上傾する傾斜面を呈しているので、当該保持面に保持させたベルトは、治具装着先のプーリを回転させながらベルトを巻き掛けるときに、ベルトの巻掛けに伴って付与された張力によりプーリ手前側に引っ張られても、保持面に押し付けられて引っ掛った掛止状態となる。これにより、ベルトが保持面に確実に保持されるので、ベルト取付治具からベルトがプーリ手前側に外れることを防止できる。【００２５】
したがって、複数のプーリにベルトを取り付ける際において、ベルト取付治具からのベルト外れと、ベルトの局所的な圧縮及び引張による損傷とを防止することができる。【００２６】
第２の発明によれば、上記保持面におけるベルト引き出し側端部がベルト引き出し側に向かって下傾する屈曲緩和面を構成しているので、該屈曲緩和面により、ベルトに極端な曲げを生じさせることなく該ベルトを保持面から曲げてプーリの側方にスムーズに引き出すことができる。これにより、プーリへのベルト巻掛けに伴ってベルトにひずみ集中が生じることを避けてベルトの破損を防止することができる。【００２７】
第３の発明によれば、治具本体がベルト引き出し側にベルトの側面を沿わせる側面当接部を備えているので、該側面当接部により、ベルト案内部に案内されてプーリの側方に引き出されたベルトを位置決めできる。そして、プーリにベルトを巻き掛ける際には、ベルトの側面が側面当接部に支持された状態でプーリの回転動作に伴いその回転方向前方に押されるので、ベルトが潰れたり異常な変形を生じにくい。これにより、ベルトの損傷をよりいっそう防止することができる。【００２８】
第４の発明によれば、治具本体がプーリ回転方向前方に突設された姿勢保持部を備え、該姿勢保持部とベルト案内部との間の隙間に案内されたベルトが、姿勢保持部とプーリの側面とによりその内周面をプーリ側に向けた状態の姿勢に保持されるので、プーリ溝にまだ巻き掛けられていないベルト部分においてプーリの外周面上で手前側に送られる幅方向一方側がプーリの外周面上で奥側に送られる幅方向他方側に対してプーリ回転軸寄りに位置し、治具装着先のプーリに続いてベルトが送られる他のプーリ上でプーリ手前側に位置するベルト部分が該他のプーリのプーリ溝に強く噛んで、当該プーリからベルトが外れることを防止できる。【００２９】
また、治具装着先のプーリの回転動作に伴う当該プーリの側面との摺動によりベルトに捩れが生じようとするプーリ側方において、当該ベルトの捩れを確実に抑止して、ベルトが損傷することを防止できる。【００３０】
第５の発明によれば、姿勢保持部がプーリの外周縁部に沿うように円弧形状に形成されているので、プーリへのベルト巻掛け終了間際には、プーリ溝にまだ嵌合していないベルト部分が治具装着先のプーリの外周縁部近傍に位置するが、このような状態においても姿勢保持部とプーリの側面とでベルトを所定の姿勢に保持できるので、ベルトの巻掛けが終了するまで予めベルトを掛け渡したプーリからのベルト外れとベルトの捩れによる損傷とを良好に防止することができる。【００３１】
第６の発明によれば、治具本体がベルト案内部との間に隙間を有するベルト挟持部を備え、該ベルト挟持部とベルト案内部とによりこれらの間の隙間を通したベルトが挟持されるので、プーリにベルトを巻き掛ける際に、ベルト取付治具自体にベルトが固定される。これにより、プーリの回転動作に伴いベルトがベルト取付治具上で滑ることを防止でき、効率良く且つ確実にプーリにベルトを取り付けることができる。【００３２】
第７の発明によれば、治具本体がベルト引き出し側のプーリ回転軸周りに位置するように設けられたベルト受け部を備え、該ベルト受け部のプーリ径方向外側に位置する面により、ベルト案内部に案内されてプーリの側方に引き出されたベルトの一部を受けるので、該ベルトはプーリの回転軸上から外れた位置を通される。これにより、プーリを回転させるための工具をプーリの回転軸に連結させる際にベルトが邪魔にならず、ベルトの取付け作業を円滑に行うことができる。【００３３】
また、ベルト受け部がプーリ回転軸よりもプーリ径方向外側でベルトを受けるので、治具装着先のプーリを回転させる際に、該プーリの側方に引き出したベルト部分に作用する張力によってプーリの回転動作に必要なトルクが小さくて済み、当該プーリを容易に回転させることができる。【００３４】
第８の発明によれば、ベルト案内部裏面の係合突条部と治具装着先のプーリのプーリ溝とを楔係合させて当該ベルト取付治具がプーリに装着されるので、プーリへのベルトの巻掛け終了後に当該ベルト取付治具がプーリから外れて落下することを防止できる。【００３５】
第９の発明によれば、ベルト取付治具の係合溝と治具装着先のプーリのフランジとを楔係合させて当該ベルト取付治具がプーリに装着されるので、プーリへのベルトの巻掛け終了後に当該ベルト取付治具がプーリから外れて落下することを防止できる。
【図面の簡単な説明】
【００３６】
【図１】図１は、実施形態に係るベルト取付治具のプーリ手前側に位置する側方からの斜視図である。
【図２】図２は、実施形態に係るベルト取付治具のプーリ奥側に位置する側方からの斜視図である。
【図３】図３は、実施形態に係るベルト取付治具のプーリに対する装着状態での正面図である。
【図４】図４は、実施形態に係るベルト取付治具のプーリに対する装着状態での背面図である。
【図５】図５は、実施形態に係るベルト取付治具のプーリに対する装着状態を示す平面図である。
【図６】図６は、実施形態に係るベルト取付治具のプーリに対する装着状態を示すプーリ奥側からの斜視図である。
【図７】図７は、ベルトが取り付けられたクランクプーリ及びコンプレッサプーリを示す側面図である。
【図８】図８は、実施形態におけるベルト取付工程の前半ステップを示す側面図である。
【図９】図９は、実施形態におけるベルト取付工程の後半ステップを示す側面図である。
【図１０】図１０は、実施形態におけるプーリへのベルトの巻掛け終了状態を示す側面図である。
【発明を実施するための形態】
【００３７】
以下、本発明の実施形態を図面に基づいて詳細に説明する。なお、本発明は、以下の各実施形態に限定されるものではない。
【００３８】
《発明の実施形態》
図１〜図６は、この実施形態に係るベルト取付治具Ｊを示す図である。図１は、ベルト取付治具Ｊのプーリ手前側に位置する側方からの斜視図である。図２は、ベルト取付治具Ｊのプーリ奥側に位置する側方からの斜視図である。図３は、ベルト取付治具Ｊのプーリ装着状態での正面図である。図４は、ベルト取付治具Ｊのプーリ装着状態での背面図である。図５は、ベルト取付治具Ｊのプーリ装着状態での平面図である。図６は、ベルト取付治具Ｊのプーリ装着状態でのプーリ奥側からの斜視図である。また、図７は、ベルト取付治具Ｊを用いてＶリブドベルト（以下、単にベルトという）Ｂを巻き掛けた状態の２個のプーリ１，６を示す側面図である。
【００３９】
本実施形態に係るベルト取付治具Ｊは、図７に示すように、例えば、エンジンに搭載されたエンジン本体のクランク軸に連結されるクランクプーリ１と、同じくエンジンに搭載されたエアコンディショナーコンプレッサの入力軸に連結されるコンプレッサプーリ６とにベルトＢを巻き掛けて取り付けるために使用されるものである。
【００４０】
ベルトＢは、図示しないが、高伸縮性の繊維からなる心線を埋設した平ベルト状のベルト本体の内周面にベルトの周方向に延びる複数（本実施形態では３本）のＶリブが一体に突設されてなる。クランクプーリ１及びコンプレッサプーリ６は、所定の軸間距離を隔てて回転自在に支持され、当該軸間距離は変更不能とされている。図７中の矢印は、各プーリ１，６の回転方向を示している。なお、エンジンは、上記ベルトＢに対して張力を付与するオートテンショナ（張力付与手段）を備えていない。
【００４１】
クランクプーリ１は、図３〜図６に示すように、外周面にベルトＢ内周面のＶリブに嵌合する複数（本実施形態では３本）のプーリ溝２が並列に周方向に延びるように形成されている。これら各プーリ溝２は、開口側から底側に向かって幅が狭くなるＶ字状に形成されている。
【００４２】
また、クランクプーリ１は、フランジ付きプーリであって、外周面におけるプーリ回転軸方向両端に上記プーリ溝２の群を挟むように一対のフランジ３が環状に突設されている。クランクプーリ１手前側のフランジ３は、プーリ奥側の面がプーリ溝２側に向かって下傾し、基端側から先端側に向かって幅が狭くなる横断面台形状に形成されている。
【００４３】
このクランクプーリ１の径方向中心に設けられたボス部４には、エンジンのクランク軸がプーリ奥側から挿入されている。そして、このクランク軸の先端部がプーリ手前側にてセンターボルト５で止められている。
【００４４】
一方、コンプレッサプーリ６も、図７に示すように、プーリ回転軸方向両端にフランジ７が環状に突設されたフランジ付きプーリであって、図示しないが、上記クランクプーリ１と同様に、外周面にベルトＢ内周面のＶリブと嵌合するＶ字状の複数（本実施形態では３本）のプーリ溝が形成されている。
【００４５】
このコンプレッサプーリ６の径方向中心に設けられたボス部８には、エアコンディショナーコンプレッサの入力軸がプーリ奥側から挿入されている。そして、この入力軸の先端部がプーリ手前側にてセンターボルト９で止められている。
【００４６】
ベルト取付治具Ｊは、上記クランクプーリ１及びコンプレッサプーリ６の一方に装着して使用されるものである。本実施形態では、クランクプーリ１に装着して使用されるベルト取付治具Ｊを例に挙げて説明する。
【００４７】
ベルト取付治具Ｊは、例えばＭＣ（モノキャスト）ナイロンやポリプロピレンなどから一体に成形されてなる樹脂製の治具である。このベルト取付治具Ｊは、図１〜図６に示すように、クランクプーリ１の側面に一側面を対応させて配置される治具本体１０と、該治具本体１０の一側面のプーリ径方向外側に位置する一端側にクランクプーリ１の外周に沿うようにプーリ回転方向前方に突設されたベルト案内部２０とを備え、該ベルト案内部２０によりベルトＢを装着先のクランクプーリ１外周面上から該プーリ１の手前側側方に案内して引き出すように構成されている。
【００４８】
上記治具本体１０は、図１に示すように、上記ベルト案内部２０の突設基部である本体基部１２と、該本体基部１２にクランクプーリ１の外周縁部に沿うようにプーリ回転方向前方に突設された円弧形状の姿勢保持部である姿勢保持プレート１４と、本体基部１２からプーリ径方向内側に延びて姿勢保持プレート１４側のクランクプーリ１の回転軸周りに位置するように設けられたベルト受け部１６とを備えている。
【００４９】
上記本体基部１２は、図４に示すように、クランクプーリ１の手前側側面の形状に倣って該プーリ１の側面に対応する一側面が形成され、少なくともプーリ径方向外側でクランクプーリ１の側面と当接するようになっている。この本体基部１２には、例えば側面側（図４で右側）や背面側（図４で紙面手前側）などに、中央部分を凹陥する凹陥部が形成されていてもよい。このように本体基部１２に凹陥部が形成された構成を採れば、本体基部１２の強度を保持したままベルト取付治具Ｊを軽量化することができる。
【００５０】
この本体基部１２におけるベルト引き出し側端部は、図１及び図３に示すように、ベルト案内部２０に案内されてクランクプーリ１の側方に引き出されたベルトＢのプーリ回転方向後方の側面と当接する側面当接部１２ａを構成している。これにより、クランクプーリ１の側方に引き出されたベルトＢを側面当接部１２ａに沿わせて、該ベルトＢを位置決め可能になっている。
【００５１】
上記姿勢保持プレート１４は、図１及び図２に示すように、クランクプーリ１のフランジ３に半周超に亘って沿うように配置される優弧形状に形成されている。この姿勢保持プレート１４は、図１及び図３に示すように、ベルト案内部２０とプーリ回転軸方向に離間して当該ベルト案内部２０との間にベルトＢを通す隙間Ｓを有している。そして、姿勢保持プレート１４は、上記隙間Ｓに案内されたベルトＢを、クランクプーリ１の側面とにより挟み込んでベルト内周面をクランクプーリ１側に向けた状態の姿勢に保持するようになっている。
【００５２】
さらに、この姿勢保持プレート１４の基端側はベルト案内部２０に沿って延びており、そのプーリ径方向外側に位置する部分はベルト案内部２０との間の隙間Ｓを通したベルトＢをベルト案内部２０とで挟持するベルト挟持部１５を構成している。これにより、ベルト取付治具Ｊ自体にベルトＢを固定可能になっている。
【００５３】
上記姿勢保持プレート１４にも、例えば側面側（図１で紙面手前側）などに、中央部分を凹陥する凹陥部が形成されていてもよい。このように姿勢保持プレート１４に凹陥部が形成された構成を採れば、姿勢保持プレート１４の強度を保持したままベルト取付治具Ｊを軽量化することができる。
【００５４】
上記ベルト受け部１６は、図１に示すように、クランクプーリ１のボス部４に外嵌する半円弧状の外嵌部１７と、該外嵌部１７と本体基部１２とを連結する連結部１８とからなり、プーリ径方向外側に位置する姿勢保持プレート１４側の面で、ベルト案内部２０に案内されてクランクプーリ１の側方に引き出されたベルトＢの一部を受ける構成となっている。外嵌部１７は、他の治具本体１０部分よりもベルト案内部２０とは反対側に突出し、プーリ回転軸方向に幅広に形成されていて、クランクプーリ１のボス部４に外嵌したときに該ボス部４にしっかり位置決めされるようになっている。
【００５５】
上記ベルト案内部２０は、クランクプーリ１のフランジ３間の幅に略等しい幅に形成されている。このベルト案内部２０の裏面には、クランクプーリ１の各プーリ溝２に係合する複数（本実施形態では３本）の係合突条部２４が突設されている。各係合突条部２４は、プーリ溝２に対応するように横断面台形状に形成されており、該プーリ溝２と楔係合するようになっている。
【００５６】
なお、本実施形態では、係合突条部２４が横断面台形状に形成されているとしたが、係合突条部２４は上記プーリ溝２に楔係合するように横断面三角形状に形成されていてもよい。
【００５７】
さらに、上記治具本体１０の本体基部１２とベルト案内部２０の基端側裏面との間には、図２及び図４に示すように、クランクプーリ１手前側のフランジ３を挟み込む係合溝２６が形成されている。この係合溝２６は、クランクプーリ１手前側のフランジ３と楔係合するようになっている。
【００５８】
また、ベルト案内部２０の基端側部分は、治具本体１０との接続部分に向かって上傾した傾斜面を呈し、本体基部１２よりもプーリ径方向外方に部分的に突出した形状を有するベルト保持部２１を構成している。このベルト保持部２１は、その表面にベルトＢを保持する保持面２２を有している。そして、ベルト案内部２０は、図３、図５及び図６に示すように、クランクプーリ１のプーリ溝２に嵌合した状態で、ベルトＢを、保持面２２を経て姿勢保持プレート１４との間の隙間Ｓに案内してクランクプーリ１の手前側側方に引き出すようになっている。
【００５９】
上記保持面２２は、ベルトＢの内周面が治具本体１０側を向くように本体基部１２との接続部対応箇所の中央部分を頂部としてその周囲に向かって下傾すると共に、ベルトＢの引き出し方向に沿って山形に湾曲した湾曲面を呈している。これにより、クランクプーリ１にベルトＢを巻き掛ける際において、ベルト取付治具ＪからベルトＢが外れたり、ベルトＢが局所的な圧縮及び引張によって損傷を受けることを防止できる。
【００６０】
すなわち、上記のような湾曲面を呈する保持面２２にベルトＢを保持させると、図３、図５及び図６に示すように、ベルトＢは、当該保持面２２上で内周面が治具本体１０側を向き、当該保持面２２の湾曲形状に倣いベルト周方向に沿って湾曲した正曲げ状態となって、クランクプーリ１の手前側側方に引き出される。これにより、ベルトＢをクランクプーリ１の手前側に引き出した状態において、ベルトＢに生じる幅方向の曲げを抑えることができるので、ベルトＢの引き出し箇所の曲げ部分に局所的な圧縮力や引張力が加わることを防止できる。
【００６１】
そして、上記保持面２２が治具本体１０側に向かって上傾する傾斜面を呈しているので、当該保持面２２に保持させたベルトＢは、クランクプーリ１を回転させながらベルトＢを巻き掛けるときに、ベルトＢの巻掛けに伴って付与された張力によりプーリ手前側に引っ張られても、保持面２２に押し付けられて引っ掛った掛止状態となる。これにより、ベルトＢを保持面２２に確実に保持することができて、ベルト取付治具ＪからベルトＢがプーリ手前側に外れることを防止できる。
【００６２】
上記保持面２２におけるベルト引き出し側端部は、図１、図３及び図５に示すように、当該ベルトＢの引き出し側に向かって下傾した屈曲緩和面２２ａを構成しており、該屈曲緩和面２２ａによって当該保持面２２で保持したベルトＢの引き出し部分での屈曲を緩和するように構成されている。これにより、ベルトＢに極端な曲げを生じさせることなく該ベルトＢを保持面２２から曲げてクランクプーリ１の側方にスムーズに引き出すことが可能になっている。
【００６３】
また、ベルト案内部２０の先端側表面は、図３に示すように、姿勢保持プレート１４とは反対側に向かって緩やかに下傾する山形凸面を呈している。これにより、ベルト案内部２０の先端側表面にベルトＢが乗った際、該ベルトＢをプーリ奥側に滑り込ませてプーリ溝２にスムーズに嵌合させるようになっている。
【００６４】
上記構成のベルト取付治具Ｊは、後に詳述するが、コンプレッサプーリ６にベルトＢを掛け渡した状態で、ベルト案内部２０をクランクプーリ１のプーリ溝２に嵌合させて、ベルトＢを保持面２２で保持し、クランクプーリ１の回転動作に伴ってベルトＢと共に回転方向に移動することにより、該ベルトＢをプーリ溝２に嵌合させてクランクプーリ１に取り付けるようになっている。
【００６５】
−使用方法−
次に、上記ベルト取付治具Ｊを使用してクランクプーリ１及びコンプレッサプーリ６にベルトＢを取り付けるベルト取付工程について、図８〜図１０を参照しながら一例を挙げて説明する。図８は、ベルト取付工程の前半ステップを示す側面図である。図９は、ベルト取付工程の後半ステップを示す側面図である。図１０は、クランクプーリ１へのベルト巻掛け終了状態を示す側面図である。なお、図９中の矢印は、各プーリ１，６の回転方向を示している。
【００６６】
上記ベルト取付治具Ｊを使用してクランクプーリ１及びコンプレッサプーリ６にベルトＢを取り付けるには、まず、図８（ａ）に示すように、コンプレッサプーリ６にベルトＢの一方側を掛け渡すと共に、該ベルトＢの他方側を、ベルト保持部２１の奥側を通して保持面２２に掛け回し、姿勢保持プレート１４とベルト案内部２０との間の隙間Ｓを通してベルト挟持部１５とベルト案内部２０とで挟持させることにより、ベルト取付治具Ｊ自体に固定する。
【００６７】
そして、上記保持面２２よりもプーリ回転方向後方に位置するベルトＢ部分をクランクプーリ１のプーリ溝２に嵌合させると共に、上記保持面２２よりもプーリ回転方向前方に位置する上記隙間Ｓを通したベルトＢ部分をクランクプーリ１の手前側側面と姿勢保持プレート１４とでベルト内周面がクランクプーリ１側を向くように挟み込んで該プーリ１の手前側側方に引き出すことにより、保持面２２にベルトＢを保持させると共にベルト保持部２１をクランクプーリ１のプーリ溝２とベルトＢとの間に挟着させてベルト取付治具Ｊをクランクプーリ１に装着する。
【００６８】
この装着作業により保持面２２にベルトＢを保持させると、図３、図５及び図６に示すように、ベルトＢは、当該保持面２２上で内周面が治具本体１０側を向き、当該保持面２２の湾曲形状に倣いベルト周方向に沿って湾曲した正曲げ状態となって、クランクプーリ１の手前側側方に引き出される。これによって、ベルトＢに生じる幅方向の曲げを抑えて、ベルトＢの引き出し箇所の曲げ部分に局所的な圧縮力や引張力が加わることを防止できる。
【００６９】
上記装着作業では、ベルトＢに張力をさほど作用させずに済むため、クランクプーリ１にベルトＢを容易に掛けることができる。このとき、クランクプーリ１の手前側側方に引き出したベルトＢ部分は、ベルト側面若しくはベルト外周面をベルト受け部１６で受けてボス部４のプーリ径方向外側を通しておく。
【００７０】
また、上記のようなベルト取付治具Ｊの装着状態によると、クランクプーリ１の手前側側面と姿勢保持プレート１４との間にベルトＢが固定され、その固定されたベルトＢとプーリ溝２との間にベルト案内部２０が挟着されるので、これらベルト取付治具Ｊとクランクプーリ１とベルトＢとの相互の関連によりベルト取付治具Ｊがクランクプーリ１に強固に係止固定される。
【００７１】
次いで、図８（ｂ）に示すように、ベルト取付治具Ｊを装着したクランクプーリ１側のセンターボルト４にレンチ１００を連結し、クランクプーリ１を手動で回転させることができるようにする。このとき、ベルトＢはベルト受け部１６で受けられてクランクプーリ１のボス部５のプーリ径方向外側を通っているので、レンチ１００をセンターボルト５に連結させる際に邪魔にならず、レンチ１００の連結作業を円滑に行うことができる。
【００７２】
続いて、クランクプーリ１をレンチ１００を用いて図８（ｂ）で時計回りに回転させることにより、図９（ａ）に示すように、ベルト取付治具Ｊがプーリ回転方向前方に進み、プーリ溝２に嵌合するベルトＢの範囲が徐々に広がっていく。このとき、クランクプーリ１の側方に引き出されてベルト受け部１６で受けられたベルトＢ部分に作用する張力によって該プーリ１の回転動作に必要なトルクが小さくて済み、クランクプーリ１を容易に回転させることができる。また、ベルト挟持部１５とベルト案内部２０とによりベルト取付治具Ｊ自体にベルトＢを固定しているので、クランクプーリ１を回転動作させた際にベルトＢがベルト取付治具Ｊ上で滑ることがない。
【００７３】
このようにしてクランクプーリ１にベルトＢを巻き掛ける最中には、ベルトＢのプーリ手前側側方に向かう力がベルト保持部２１に作用するが、該ベルト保持部２１がベルトＢによってプーリ溝２に押さえ付けられると共に、係合溝２６がクランクプーリ１手前側のフランジ３に楔係合していることによって、ベルト取付治具Ｊの傾きが規制される。そして、ベルトＢは内周面が保持面２２に押し付けられて引っ掛った掛止状態となる。これにより、クランクプーリ１へのベルトＢの巻掛けが終了するまで、ベルト取付治具Ｊのクランクプーリ１への装着状態が維持される。
【００７４】
上記クランクプーリ１の回転に伴い、保持面２２よりもプーリ回転方向前方でクランクプーリ１の手前側側方に位置するベルトＢ部分は、クランクプーリ１の径方向内側から外側に移動して、次第にクランクプーリ１手前側のフランジ３の外周縁部に近づいていく。そして、クランクプーリ１のベルトＢの巻掛け終了間際においては、図９（ｂ）に示すように、プーリフランジ３の外周縁部に近接した状態となる。このような状態においても、姿勢保持プレート１４はクランクプーリ１の外周縁部近傍に位置するので、クランクプーリ１の手前側側面と姿勢保持プレート１４とでベルトＢの姿勢が変わらず保持される。
【００７５】
ここで、ベルトＢの巻掛けに伴い付与された張力によってベルトＢがコンプレッサプーリ６におけるベルト進入側でプーリ手前側に強く引っ張られるが、姿勢保持プレート１４とベルト案内部２０との間の隙間Ｓに案内されたベルトＢを、クランクプーリ１の手前側側面と姿勢保持プレート１４とによりその内周面がクランクプーリ１側を向くように挟み込んで保持しているので、クランクプーリ１のプーリ溝２にまだ巻き掛けられていないベルトＢ部分においてプーリ１，６の外周面上で手前側に送られる幅方向一方側がプーリ１，６の外周面上で奥側に送られる幅方向他方側に対してプーリ回転軸寄りに位置し、コンプレッサプーリ６上でプーリ手前側に位置するベルトＢ部分が該プーリ６のプーリ溝及びフランジ７に強く噛んで、当該プーリ６からベルトＢが外れることを防止できる。また、それと共に、クランクプーリ１の回転動作に伴う当該プーリ１の手前側側面との摺動によりベルトＢに捩れが生じようとするプーリ側方において、ベルトＢの捩れを確実に抑止して、ベルト背面が損傷することを防止できる。
【００７６】
さらにそのまま続けてクランクプーリ１を回転させると、やがて、ベルトＢは、姿勢保持プレート１４とベルト案内部２０との間の隙間Ｓから抜けてベルト案内部２０の表面に乗り、該ベルト案内部２０の先端側表面を経てプーリ溝２側に滑り込んで完全にプーリ溝２に嵌合し、クランクプーリ１に正常に巻き掛けられる。
【００７７】
そして、ベルト取付治具ＪがベルトＢから外れて、図１０に示すように、クランクプーリ１とコンプレッサプーリ６との間に位置した状態となるので、この時点でクランクプーリ１の回転を止める。この状態でも、ベルト取付治具Ｊは、ベルト案内部２０裏面の係合突条部２４とプーリ溝２との楔係合に加え、クランクプーリ１手前側のフランジ３と上記係合溝２６との楔係合によってクランクプーリ１に係止固定されているので、クランクプーリ１から外れて落下することがなく、該プーリ１に付いたままとなる。
【００７８】
しかる後、クランクプーリ１側のセンターボルト５からレンチ１００を取り外し、クランクプーリ１からベルト取付治具Ｊを取り外して、クランクプーリ１及びコンプレッサプーリ６へのベルトＢの取付けが完了する。
【００７９】
以上のようにして、クランクプーリ１とコンプレッサプーリ６とにベルトＢを緊張状態で巻き掛けることができる。
【００８０】
−実施形態の効果−
この実施形態によると、ベルト取付治具ＪのベルトＢを保持する保持面２２が、治具本体１０との接続部対応箇所の中央部分を頂部としてその周囲に向かって下傾し、且つベルト引き出し方向に沿って山形に湾曲した湾曲面を呈しているので、クランクプーリ１及びコンプレッサプーリ６にベルトＢを取り付ける際において、ベルト取付治具Ｊからベルトが外れたり、ベルトＢが局所的な圧縮及び引張により損傷を受けることを防止できる。
【００８１】
なお、上記実施形態では、保持面２２が本体基部１２との接続部対応箇所の中央部分を頂部としてその周囲に向かって下傾するとしたが、本発明はこれに限らない。例えば、保持面２２は、本体基部１２との接続対応箇所のプーリ回転方向前方側部分若しくは同方向後方側部分を頂部としてその周囲に向かって下傾していてもよく、その他の形態であっても、ベルトＢの内周面が治具本体１０側を向くように治具本体１０側の一部を頂部としてその周囲に向かって下傾し、ベルトＢ引き出し方向に沿って山形に湾曲していれば構わない。
【００８２】
また、上記実施形態では、姿勢保持プレート１４がベルト案内部２０との間の隙間Ｓに案内したベルトＢをクランクプーリ１の手前側側面とで挟み込んで所定の姿勢に保持する構成を説明したが、本発明はこれに限らない。姿勢保持プレート１４は、クランクプーリ１の手前側側面との間に若干の捩れ動作が可能にベルトＢが緩く挿入される構成でもよく、姿勢保持プレート１４と治具装着先のプーリの手前側側面とにより、治具装着先のプーリに続いてベルトＢが送られる他のプーリ上でベルトＢのプーリ手前側部分を該プーリのプーリ溝及びフランジに強く噛ませる角度にベルトＢの姿勢を保持でき、且つベルトＢの背面が治具装着先のプーリの手前側側面と当接しない程度にベルトＢの捩れを規制できる構成であれば構わない。
【００８３】
すなわち、上記実施形態では、姿勢保持プレート１４がクランクプーリ１のフランジ３に半周超に亘って沿うように配置される優弧形状に形成されているとしたが、本発明はこれに限らない。姿勢保持プレート１４は、クランクプーリ１のフランジ３に半周未満で沿うように配置される劣弧形状に形成されていてもよく、クランクプーリ１のフランジ３に沿うように配置される形状でなくても構わない。
【００８４】
以上、本発明の好ましい実施形態について説明したが、本発明の技術的範囲は、上記の実施形態の範囲に限定されない。上記の実施形態が例示であり、それらの各構成要素や使用方法に、さらにいろいろな変形例が可能なこと、またそうした変形例も本発明の範囲になることは当業者に理解されるところである。
【００８５】
例えば、上記実施形態では、クランクプーリ１に装着して使用されるベルト取付治具Ｊを例に挙げて説明したが、これに限らず、ベルト取付治具Ｊは、コンプレッサプーリ６に装着して使用されるものであってもよい。
【００８６】
また、上記実施形態では、クランクプーリ１及びコンプレッサプーリ６の２個のプーリにベルトＢを巻き掛けて取り付ける場合を例に挙げて説明したが、本発明に係るベルト取付治具はＪ、３個以上のプーリにベルトＢを巻き掛けて取り付ける場合にも勿論適用することができる。
【００８７】
またその他、上記実施形態では、プーリ１，６に巻き掛けるベルトとしてＶリブドベルトＢを例に挙げて説明したが、本発明に係るベルト取付治具Ｊの使用対象とするベルトはこれに限らず、平ベルトやＶベルトなどのＶリブドベルト以外のベルトであっても構わない。
【産業上の利用可能性】
【００８８】
以上説明したように、本発明は、複数のプーリにベルトを巻き掛けて取り付ける際に用いるベルト取付治具について有用であり、特に、ベルト取付治具からのベルト外れと、ベルトの局所的な圧縮及び引張による損傷とを防止することが要望されるベルト取付治具に適している。
【符号の説明】
【００８９】
Ｂ    ベルト
Ｊ    ベルト取付治具
Ｓ    隙間
１    クランクプーリ
２    プーリ溝
３    フランジ
６    コンプレッサプーリ
１０    治具本体
１２ａ  側面当接部
１４    姿勢保持プレート（姿勢保持部）
１５    ベルト挟持部
１６    ベルト受け部
２０    ベルト案内部
２２    保持面
２２ａ    屈曲緩和面
２４      係合突条部
２６      係合溝
【図１】
2013042299.tif 000003
【図２】
2013042299.tif 000004
【図３】
2013042299.tif 000005
【図４】
2013042299.tif 000006
【図５】
2013042299.tif 000007
【図６】
2013042299.tif 000008
【図７】
2013042299.tif 000009
【図８】
2013042299.tif 000010
【図９】
2013042299.tif 000011
【図１０】
2013042299.tif 000012
【国際調査報告】
2013042299.tif 000013
2013042299.tif 000014
2013042299.tif 000015
2013042299.tif 000016